(57)【要約】【課題】バッテリケースに何ら加工を施すことなく、バッテリケースがバッテリ収納室から上方へ飛び出すのを抑止することができるフォークリフトを提供する。【解決手段】底板および側板１１ｂにより囲まれ、車体の上方に向けて開口したバッテリ収納室と、バッテリ収納室に収納された直方体状のバッテリケース３と、バッテリケース３がバッテリ収納室から上方へ飛び出すのを抑止するバッテリストッパ４とを備えたフォークリフトであって、バッテリ収納室の側板１１ｂは、バッテリケース３の上面よりも高い位置において厚み方向に貫通したストッパ穴を有し、バッテリストッパ４は、ストッパ穴に回転可能に挿入されて、一端側がバッテリ収納室内に突出するとともに、他端側がバッテリ収納室外に突出した柱状のピン部材４ａと、ストッパ穴に挿入されたピン部材４ａを回転させたことで、側板１１ｂの上縁に係止された係止部材４ｂとを含むことを特徴とする。【選択図】図３
2011246209.tif 000002
【特許請求の範囲】
【請求項１】
底板および側板により囲まれ、車体の上方に向けて開口したバッテリ収納室と、
前記バッテリ収納室に収納された直方体状のバッテリケースと、
前記バッテリケースが前記バッテリ収納室から上方へ飛び出すのを抑止するバッテリストッパとを備えたフォークリフトであって、
前記バッテリ収納室の前記側板は、前記バッテリケースの上面よりも高い位置において厚み方向に貫通したストッパ穴を有し、
前記バッテリストッパは、前記ストッパ穴に回転可能に挿入されて、一端側が前記バッテリ収納室内に突出するとともに、他端側が前記バッテリ収納室外に突出した柱状のピン部材と、前記ストッパ穴に挿入された前記ピン部材を回転させたことで、前記側板の上縁に係止された係止部材とを含むことを特徴とするフォークリフト。
【請求項２】
前記係止部材は、前記上縁に係止された状態において、前記ピン部材の前記一端側外周面から前記車体の上方に向けて突出するとともに、先端が前記バッテリ収納室外に折り返されたことにより、前記側板の前記上縁に当接する当接部が形成されていることを特徴とする請求項１に記載のフォークリフト。
【請求項３】
前記側板は、前記上縁に切欠き部を有し、
前記係止部材の前記当接部は、該係止部材の自重により前記切欠き部の底縁に当接していることを特徴とする請求項２に記載のフォークリフト。
【請求項４】
前記バッテリ収納室に隣接して設けられた機器収納室と、
前記機器収納室の上方を覆うカバーとをさらに備え、
前記ストッパ穴は、前記側板のうち前記バッテリ収納室と前記機器収納室との境界となる側板に設けられていることを特徴とする請求項１ないし３のいずれかに記載のフォークリフト。
【発明の詳細な説明】
【技術分野】
【０００１】
本発明は、バッテリケースがバッテリ収納室から上方へ飛び出すのを抑止するバッテリストッパを備えたフォークリフトに関する。
【背景技術】
【０００２】
バッテリを駆動源とする一般的なフォークリフトには、バッテリケースを収納するためのバッテリ収納室が備えられている。バッテリ収納室は車体の上方に向けて開口しており、クレーンやホイストなどの揚上機で上方からバッテリケースの出し入れが行われる（例えば、特許文献１参照）。
【０００３】
ところで、上記のようなバッテリ収納室を備えた従来のフォークリフトでは、走行中の転倒や振動により、バッテリケースがバッテリ収納室から上方へ飛び出してしまうことがある。このため、従来のフォークリフトには、図５に示すように、バッテリケースがバッテリ収納室から上方へ飛び出すのを抑止するバッテリストッパ１４が備えられている。
【０００４】
同図に示すように、バッテリストッパ１４は、ピン部材１４ａと係止部材１４ｂとからなる。ピン部材１４ａは、バッテリ収納室の後側板１５およびバッテリケースの後側板１６の上縁近傍に設けられたストッパ穴に回転可能に挿入されており、係止部材１４ｂは、バッテリケースの後側板１６に設けられたＬ字状の抜け止めフック１７に係止されている。
【先行技術文献】
【特許文献】
【０００５】
【特許文献１】特開２００１−３０２１９２号公報
【発明の概要】
【発明が解決しようとする課題】
【０００６】
しかしながら、上記のフォークリフトでは、バッテリケースがバッテリ収納室から上方へ飛び出すのを抑止することができるが、バッテリケースの後側板１６にストッパ穴や抜け止めフック１７を設ける必要があるため、バッテリケースの構造が複雑になり、コストが高くつくという問題があった。また、上記のフォークリフトでは、バッテリケースの後側板１６とバッテリ収納室の後側板１５のそれぞれに設けられたストッパ穴の位置をぴったりと揃える必要があるため、バッテリケースをバッテリ収納室に収納するのに手間と時間がかかるという問題があった。
【０００７】
本発明は上記の事情に鑑みてなされたものであって、その課題とするところは、バッテリケースに何ら加工を施すことなく、バッテリケースがバッテリ収納室から上方へ飛び出すのを抑止することができるバッテリストッパを備えたフォークリフトを提供することにある。
【課題を解決するための手段】
【０００８】
上記課題を解決するために、本発明に係るフォークリフトは、底板および側板により囲まれ、車体の上方に向けて開口したバッテリ収納室と、バッテリ収納室に収納された直方体状のバッテリケースと、バッテリケースがバッテリ収納室から上方へ飛び出すのを抑止するバッテリストッパとを備えたフォークリフトであって、バッテリ収納室の側板は、バッテリケースの上面よりも高い位置において厚み方向に貫通したストッパ穴を有し、バッテリストッパは、ストッパ穴に回転可能に挿入されて、一端側がバッテリ収納室内に突出するとともに、他端側がバッテリ収納室外に突出した柱状のピン部材と、ストッパ穴に挿入されたピン部材を回転させたことで、側板の上縁に係止された係止部材とを含むことを特徴とする。
【０００９】
この構成によれば、バッテリストッパのピン部材が、バッテリケースの上面よりも高い位置においてバッテリ収納室の側板に設けられたストッパ穴に挿入されており、バッテリストッパの係止部材が、バッテリ収納室の側板の上縁に係止されているので、ストッパ穴や抜け止めフック等の加工をバッテリケースに施すことなく、バッテリケースがバッテリ収納室から上方へ飛び出すのを抑止することができる。
【００１０】
上記係止部材は、例えば、上記上縁に係止された状態において、ピン部材の一端側外周面から車体の上方に向けて突出するとともに、先端がバッテリ収納室外に折り返されたことにより、側板の上縁に当接する当接部が形成されていてもよい。
【００１１】
上記側板は、上記上縁に切欠き部を有し、係止部材の当接部は、該係止部材の自重により切欠き部の底縁に当接していることが好ましい。この構成によれば、走行中にピン部材が回転するのを防ぐことができる。さらに、この構成によれば、たとえ走行中にピン部材が回転して係止部材の当接部が切欠き部の底縁から離れたとしても、切欠き部の側縁に係止部材が当たることによりバッテリストッパの回転が制限されるので、係止部材の当接部をすぐに当接された元の位置に戻すことができる。
【００１２】
また、上記フォークリフトが、バッテリ収納室に隣接して設けられた機器収納室と、機器収納室の上方を覆うカバーとをさらに備えている場合は、ストッパ穴をバッテリ収納室と機器収納室との境界となる側板に設ければよい。この構成によれば、機器収納室の上方をカバーで覆ったまま、バッテリ収納室の内側からバッテリストッパの着脱の作業を行うことができる。
【発明の効果】
【００１３】
本発明によれば、バッテリケースに何ら加工を施すことなく、バッテリケースがバッテリ収納室から上方へ飛び出すのを抑止することができるバッテリストッパを備えたフォークリフトを提供することができる。
【図面の簡単な説明】
【００１４】
【図１】本発明に係るフォークリフトを前方から見た一部省略斜視図である。
【図２】本発明に係るフォークリフトを後方から見た一部省略斜視図である。
【図３】本発明におけるバッテリストッパがバッテリ収納室の後側板に係止されている状態を示す図である。
【図４】本発明におけるバッテリストッパがバッテリ収納室の後側板に係止されていない状態を示す図である。
【図５】従来のバッテリストッパがバッテリケースの後側板に係止されている状態を示す図である。
【発明を実施するための形態】
【００１５】
以下、添付図面を参照して、本発明の好ましい実施形態について説明する。
【００１６】
図１に示すように、本発明に係るフォークリフト１には、車体の中央部に設けられたバッテリ収納室２と、バッテリ収納室２に収納されたバッテリケース３と、バッテリケース３がバッテリ収納室２から上方へ飛び出すのを抑止するバッテリストッパ４と、バッテリ収納室２の後方に隣接して設けられた機器収納室５とが備えられている。車体の前部には、フォークが昇降可能に設けられた荷役装置（不図示）が備えられ、車体の後部には、カウンタウエイト６が備えられている。また、図２に示すように、バッテリ収納室２の上方には、運転座席７が固定された開閉可能なバッテリカバー８が備えられており、運転座席７の上方には、ヘッドガード９が備えられている。
【００１７】
バッテリケース３は、複数のバッテリが収納された直方体状の鉄製のケースである。バッテリケース３は、バッテリ交換用のクレーンやホイストなどの揚上機により、上方からバッテリ収納室２に出し入れされる。
【００１８】
バッテリ収納室２は、底板１０と側板により囲まれ、車体の上方に向けて開口している。側板は、車体の前後方向に適当な間隔で対向配置された前側板１１ａおよび後側板１１ｂと、車体の幅方向に適当な間隔で対向配置された右側板および左側板からなる。
【００１９】
図３に示すように、後側板１１ｂには、バッテリケース３の上面よりも高い位置において厚み方向に貫通した円状のストッパ穴が設けられている。また、後側板１１ｂの上縁には、矩形状の切欠き部１２が設けられている。なお、本実施形態では、バッテリケース３の上面からストッパ穴までの距離を５ｍｍとし、切欠き部１２の幅を５０ｍｍとしている。
【００２０】
同図に示すように、バッテリストッパ４は、ストッパ穴に回転可能に挿入された円柱状のピン部材４ａと、切欠き部１２の底縁に係止された係止部材４ｂとからなる。ピン部材４ａは、一端側がバッテリ収納室２に収納されたバッテリケース３の上方に突出するとともに、他端側がバッテリ収納室２外に突出している。係止部材４ｂは、平板状の金属板を折り曲げ加工したものであって、切欠き部１２の底縁に係止された状態において、ピン部材４ａの一端側外周面から車体の斜め上方に向けて突出するとともに、先端がバッテリ収納室２外に折り返されたことにより、切欠き部１２の底縁に当接された当接部が形成されている。当接部は、係止部材４ｂの重量によって切欠き部１２の底縁に当接されている。
【００２１】
また、図４に示すように、走行中にバッテリストッパ４が回転して係止部材４ｂの当接部が切欠き部１２の底縁から離れても、切欠き部１２の側縁に係止部材４ｂが当たることによりバッテリストッパ４の回転が制限されるので、係止部材４ｂの当接部はすぐに底縁に当接された元の位置に戻る。なお、バッテリの交換等でバッテリケース３をバッテリ収納室２から取り出す必要がある場合は、バッテリストッパ４の当接部が切欠き部１２の底縁から離れた状態（図４の状態）で、ピン部材４ａをストッパ穴から引き抜くことにより、バッテリストッパ４を外すことができる。
【００２２】
機器収納室５には、車体に搭載されている電気機器を制御するコントロールユニット等が収納されている。機器収納室５とバッテリ収納室２は、バッテリ収納室２を構成する後側板１１ｂによって区切られている。また、機器収納室５の上方は、防水性のカバー１３で覆われている。本実施形態に係るフォークリフト１では、バッテリ収納室２の内側からバッテリストッパ４の着脱の作業を行うことができるため、作業中でも機器収納室５に防水性のカバー１３を取り付けたままにしておくことができる。
【００２３】
上記のように、本発明に係るフォークリフト１によれば、バッテリストッパ４のピン部材４ａが、バッテリケース３の上面よりも高い位置においてバッテリ収納室２の後側板１１ｂに設けられたストッパ穴に挿入されており、バッテリストッパ４の係止部材４ｂが、バッテリ収納室２の後側板１１ｂに設けられた切欠き部１２の底縁に係止されているので、バッテリケース３に何ら加工を施すことなく、バッテリケース３がバッテリ収納室２から上方へ飛び出すのを抑止することができる。
【００２４】
以上、本発明の好ましい実施形態について説明してきたが、本発明はこれらの構成に限定されるものではない。
【００２５】
例えば、バッテリストッパ４のピン部材４ａが走行中に回転してしまうのを防ぐために、バッテリ収納室２外に突出したピン部材４ａの他端側を、挿入方向とは反対の方向にバネ等で付勢することで、係止部材４ｂの先端の折り返された部分をバッテリ収納室２の後側板１１ｂに当接させてもよい。
【００２６】
また、上記実施形態では、バッテリ収納室２の後側板１１ｂにストッパ穴および切欠き部１２を設けているが、後側板１１ｂ以外の側板にストッパ穴および切欠き部１２を設けてもよい。
【００２７】
また、ピン部材４ａと係止部材４ｂの位置関係は任意に変更することができる。例えば、上記実施形態では、ピン部材４ａの一端側に係止部材４ｂを設けているが、ピン部材４ａの他端側に設けてもよい。
【符号の説明】
【００２８】
１    フォークリフト
２    バッテリ収納室
３    バッテリケース
４    バッテリストッパ
４ａ    ピン部材
４ｂ    係止部材
５    機器収納室
６    カウンタウエイト
７    運転座席
８    バッテリカバー
９    ヘッドガード
１０    底板
１１ａ    前側板
１１ｂ    後側板
１２    切欠き部
１３    カバー
１４    バッテリストッパ
１４ａ    ピン部材
１４ｂ    係止部材
１５    バッテリ収納室の後側板
１６    バッテリケースの後側板
１７    抜け止めフック
【図１】
2011246209.tif 000003
【図２】
2011246209.tif 000004
【図３】
2011246209.tif 000005
【図４】
2011246209.tif 000006
【図５】
2011246209.tif 000007